(57)【要約】【課題】窓側方の壁面を加工せずに窓取付用開口部に取付でき、特にカーテンを備えた窓に設置すると体裁良好で尚且つカーテンなどと干渉せずに取付できる物干し装置を提供すること。【解決手段】物干しバー１の両端部に取付機構３を設け、この取付機構３は、窓取付用開口部40の側部内面40Ａ若しくは窓枠４の縦枠部４Ａに取り付ける窓側取付部７に回動腕部８を上下方向に起伏回動自在に枢着し、この回動腕部８は、窓側取付部７の枢着部に連結する横設腕部８Ａと、この横設腕部８Ａの外側端部に連結しカーテンレール５に垂設するカーテン９の外側に配設される立直腕部８Ｂとから成り、この立直腕部８Ｂに前記物干しバー１の端部を連結する。【選択図】図１
2008212648.tif 000002
【特許請求の範囲】
【請求項１】
横設する物干しバーの両端部に、この物干しバーを、窓の窓取付用開口部若しくは窓取付用開口部の上方に横設するカーテンレールより上方の壁面に沿設した沿設状態と、この沿設状態の位置より下方にして前記窓から離れた突出状態とに切り換え自在となる取付機構を設け、この取付機構は、前記窓を設ける窓取付用開口部の外側の壁面でなくこの窓取付用開口部の左右の側部内面に取り付ける各窓側取付部に回動腕部を上下方向に起伏回動自在に夫々枢着し、この回動腕部の先端部を前記物干しバーの端部に夫々連結した構成とし、この回動腕部は、前記物干しバーが前記壁面に沿設状態のときこれと平行にして前記窓側取付部の枢着部に連結する横設腕部と、この横設腕部の外側端部に連結し前記カーテンレールに垂設するカーテンの外側に立設状態に配設される立直腕部とから成り、この立直腕部に前記物干しバーの端部を連結した構成としたことを特徴とする物干し装置。
【請求項２】
前記物干しバー若しくはこの物干しバーと前記立直腕部との連結部に伸縮調整機構を設けて前記立直腕部の位置が前記窓取付用開口部から左右方向に接離調整自在となるように構成したことを特徴とする請求項１記載の物干し装置。
【請求項３】
前記窓側取付部に、横設腕部に対して付勢力を付与する付勢手段を設けると共に、この付勢手段は、前記回動腕部を上方へ回動しようとする方向に横設腕部を回動付勢する構成としたことを特徴とする請求項１，２のいずれか１項に記載の物干し装置。
【請求項４】
前記窓側取付部に、前記横設腕部の回動範囲を規制する回動規制手段を設けると共に、この回動規制手段は、前記物干しバーが前記沿設状態から前記突出状態までの回動範囲で回動自在となるように前記回動腕部を回動規制する構成としたことを特徴とする請求項１〜３のいずれか１項に記載の物干し装置。
【請求項５】
横設する物干しバーの両端部に、この物干しバーを、窓の窓枠若しくは窓枠の上方に横設するカーテンレールより上方の壁面に沿設した沿設状態と、この沿設状態の位置より下方にして前記窓から離れた突出状態とに切り換え自在となる取付機構を設け、この取付機構は、前記窓を設ける窓枠の外側の壁面でなくこの窓枠の左右の縦枠部に取り付ける各窓側取付部に回動腕部を上下方向に起伏回動自在に夫々枢着し、この回動腕部の先端部を前記物干しバーの端部に夫々連結した構成とし、この回動腕部は、前記物干しバーが前記壁面に沿設状態のときこれと平行にして前記窓側取付部の枢着部に連結する横設腕部と、この横設腕部の外側端部に連結し前記カーテンレールに垂設するカーテンの外側に立設状態に配設される立直腕部とから成り、この立直腕部に前記物干しバーの端部を連結した構成とし、前記物干しバー若しくはこの物干しバーと前記立直腕部とを連結する連結部，及び前記横設腕部若しくはこの横設腕部と前記立直腕部とを連結する連結部に伸縮調整機構を設けて前記立直腕部の位置が前記窓枠から左右方向に接離調整自在となるように構成し、前記立直腕部又はこの立直腕部と前記物干しバー若しくは前記横設腕部との連結部に前記物干しバーの高さ位置を調整する高さ調整機構を設けたことを特徴とする物干し装置。
【請求項６】
前記取付機構の前記窓側取付部は、前記窓枠の左右の縦枠部の見込み面に取り付けし得るように構成したことを特徴とする請求項５記載の物干し装置。
【発明の詳細な説明】
【技術分野】
【０００１】
本発明は、建物の窓取付用開口部に取り付けて使用する物干し装置に関するものである。
【背景技術】
【０００２】
洗濯物を部屋干しする場合、窓際に干すと日光を受けて乾燥し易く、また窓を開放して外気の取り入れながらの乾燥も行えるので、都合がいい。
【０００３】
また、従来、窓の開口の側方に一対の腕杆を回動可能に固定し、この腕杆の両先端部間に物干し竿を架設状態に設けた物干し構造（特許文献１）が提案されており、この特許文献１によれば、室内側に腕杆を回動させて物干し竿を引き出して窓際に洗濯物を干すことができ、不使用時には腕杆を壁面に向かって回動させて壁面に沿設させた収納状態とすることができるので、非常に便利である。
【０００４】
【特許文献１】特開平９−２５３３９２号公報
【発明の開示】
【発明が解決しようとする課題】
【０００５】
しかしながら、前記特許文献１は、窓の開口の側方の壁面に腕杆を固定する構成のため、この窓の側方の壁面を加工して、即ち窓側方の壁面に傷を付けて固定しなければならない上、この腕杆の壁面への取付構造部分が部屋内に常に露出した状態となるため、部屋内の体裁を害してしまうものであった。
【０００６】
本発明は、この点、窓の側方の壁面を加工することなく取付固定することができ、また、特にカーテンを備えた窓に設置することにより、窓取付用開口部への取付構造部分がカーテンに隠れて見えづらくなって体裁を一層良好に確保できると共に、カーテンやカーテンレールが支障となることなく、物干しバーを収納状態と使用状態とに切り替え操作できる画期的な窓取付形物干し装置を提供するものである。
【課題を解決するための手段】
【０００７】
添付図面を参照して本発明の要旨を説明する。
【０００８】
横設する物干しバー１の両端部に、この物干しバー１を、窓２の窓取付用開口部40若しくは窓取付用開口部40の上方に横設するカーテンレール５より上方の壁面６Ａに沿設した沿設状態と、この沿設状態の位置より下方にして前記窓２から離れた突出状態とに切り換え自在となる取付機構３を設け、この取付機構３は、前記窓２を設ける窓取付用開口部40の外側の壁面６Ｂでなくこの窓取付用開口部40の左右の側部内面40Ａに取り付ける各窓側取付部７に回動腕部８を上下方向に起伏回動自在に夫々枢着し、この回動腕部８の先端部を前記物干しバー１の端部に夫々連結した構成とし、この回動腕部８は、前記物干しバー１が前記壁面６Ａに沿設状態のときこれと平行にして前記窓側取付部７の枢着部72に連結する横設腕部８Ａと、この横設腕部８Ａの外側端部に連結し前記カーテンレール５に垂設するカーテン９の外側に立設状態に配設される立直腕部８Ｂとから成り、この立直腕部８Ｂに前記物干しバー１の端部を連結した構成としたことを特徴とする物干し装置に係るものである。
【０００９】
また、前記物干しバー１若しくはこの物干しバー１と前記立直腕部８Ｂとの連結部に伸縮調整機構10を設けて前記立直腕部８Ｂの位置が前記窓取付用開口部40から左右方向に接離調整自在となるように構成したことを特徴とする請求項１記載の物干し装置に係るものである。
【００１０】
また、前記窓側取付部７に、横設腕部８Ａに対して付勢力を付与する付勢手段19を設けると共に、この付勢手段19は、前記回動腕部８を上方へ回動しようとする方向に横設腕部８Ａを回動付勢する構成としたことを特徴とする請求項１，２のいずれか１項に記載の物干し装置に係るものである。
【００１１】
また、前記窓側取付部７に、前記横設腕部８Ａの回動範囲を規制する回動規制手段20を設けると共に、この回動規制手段20は、前記物干しバー１が前記沿設状態から前記突出状態までの回動範囲で回動自在となるように前記回動腕部８を回動規制する構成としたことを特徴とする請求項１〜３のいずれか１項に記載の物干し装置に係るものである。
【００１２】
また、横設する物干しバー１の両端部に、この物干しバー１を、窓２の窓枠４若しくは窓枠４の上方に横設するカーテンレール５より上方の壁面６Ａに沿設した沿設状態と、この沿設状態の位置より下方にして前記窓２から離れた突出状態とに切り換え自在となる取付機構３を設け、この取付機構３は、前記窓２を設ける窓枠４の外側の壁面６Ｂでなくこの窓枠４の左右の縦枠部４Ａに取り付ける各窓側取付部７に回動腕部８を上下方向に起伏回動自在に夫々枢着し、この回動腕部８の先端部を前記物干しバー１の端部に夫々連結した構成とし、この回動腕部８は、前記物干しバー１が前記壁面６Ａに沿設状態のときこれと平行にして前記窓側取付部７の枢着部に連結する横設腕部８Ａと、この横設腕部８Ａの外側端部に連結し前記カーテンレール５に垂設するカーテン９の外側に立設状態に配設される立直腕部８Ｂとから成り、この立直腕部８Ｂに前記物干しバー１の端部を連結した構成とし、前記物干しバー１若しくはこの物干しバー１と前記立直腕部８Ｂとを連結する連結部，及び前記横設腕部８Ａ若しくはこの横設腕部８Ａと前記立直腕部８Ｂとを連結する連結部に伸縮調整機構10を設けて前記立直腕部８Ｂの位置が前記窓枠４から左右方向に接離調整自在となるように構成し、前記立直腕部８Ｂ又はこの立直腕部８Ｂと前記物干しバー１若しくは前記横設腕部８Ａとの連結部に前記物干しバー１の高さ位置を調整する高さ調整機構11を設けたことを特徴とする物干し装置に係るものである。
【００１３】
また、前記取付機構３の前記窓側取付部７は、前記窓枠４の左右の縦枠部４Ａの見込み面14に取り付けし得るように構成したことを特徴とする請求項５記載の物干し装置に係るものである。
【発明の効果】
【００１４】
本発明は上述のように構成したから、各取付機構は、窓を設ける窓取付用開口部の外側の壁面でなくこの窓取付用開口部の左右の側部内面に各窓側取付部を介して取り付けるため、窓取付用開口部の外側の壁面を傷付けることなく取り付けできるし、この取付機構の取付構造部分（窓側取付部）を窓取付用開口部の外側の壁面に露出しない構成とすることも可能で、窓取付用開口部の外側の壁面の体裁が良好に保たれる構成とすることもでき、また、カーテンが備えられた窓に対して本物干し装置を設置した場合には、カーテンが窓取付用開口部の左右の側部内面の前方にあることで、取付機構の窓側取付部が隠れて見えづらくなるので一層体裁が良好となり、しかも、本発明の回動腕部は、物干しバーが壁面に沿設状態のときこれと平行にして窓側取付部の枢着部に連結する横設腕部と、この横設腕部の外側端部に連結しカーテンレールに垂設するカーテンの外側に立設状態に配設される立直腕部とから成る構成としたため、窓取付用開口部の上方に横設するカーテンレールやカーテンに立直腕部が干渉せず、且つ連結した物干しバーがカーテンレールに干渉しない構造の回動腕部を簡易に設計実現可能であるなど、極めて実用性に秀れた画期的な物干し装置となる。
【００１５】
また、請求項２記載の発明においては、窓やカーテンレールなどの大きさにかかわらず、窓取付用開口部の上方に横設するカーテンレールやカーテンに立直腕部が干渉しないように、立直腕部の位置を窓取付用開口部に対して接離調整することができる一層実用性に秀れた構成の物干し装置となる。
【００１６】
また、請求項３記載の発明においては、付勢手段により回動腕部は上方へ回動しようとする方向へ回動付勢されるため、この回動付勢により物干しバーが、窓取付用開口部若しくは窓取付用開口部の上方に横設するカーテンレールより上方の壁面に沿設した沿設状態が良好に付勢保持されると共に、回動腕部を下方へ回動させて物干しバーを突出状態とする際にも、この回動付勢力により勢い良く物干しバーが使用者の眼前に飛び出してくるような危険性がなく、逆に突出状態の物干しバーを回動腕部を上方へ回動させて沿設状態とする際には、この回動付勢力が回動腕部を上方へ回動させる助力となるので、弱い力で簡単に沿設状態にできるなど、一層実用性に秀れた構成の物干し装置となる。
【００１７】
また、請求項４記載の発明においては、回動規制手段により回動腕部の過回動が阻止されるので、無駄な回動操作を要せず、物干しバーを窓取付用開口部若しくは窓取付用開口部の上方に横設するカーテンレールより上方の壁面に沿設した沿設状態と、この沿設状態の位置より下方にして前記窓から離れた突出状態との間で確実に切替回動操作可能となる一層実用性に秀れた構成の物干し装置となる。
【００１８】
また、請求項５記載の発明は上述のように構成したから、各取付機構は、窓枠の外側の壁面でなくこの窓枠の左右の縦枠部に各窓側取付部を介して取り付けるため、窓枠の外側の壁面を傷付けることなく取り付けできるし、この取付機構の取付構造部分（窓側取付部）が窓枠の外側の壁面に常に露出した状態とはならないため、窓枠の外側の壁面の体裁が良好に保たれることとなり、また、カーテンが備えられた窓に対して本物干し装置を設置した場合には、カーテンが縦枠部の前方にあることで、取付機構の窓側取付部が隠れて見えづらくなるので一層体裁が良好となり、しかも、窓やカーテンレールなどの大きさにかかわらず、窓枠の上方に横設するカーテンレールやカーテンに立直腕部が干渉しないように、立直腕部の位置を窓枠に対して接離調整することができると共に、物干しバーがカーテンレールに干渉しないように、物干しバーの高さ位置を調整することができるので、色々な窓の大きさに対応して設置できる上にカーテンが備えられた窓に対しても問題なく設置して使用できる極めて実用性に秀れた画期的な物干し装置となる。
【００１９】
また、請求項６記載の発明においては、各取付機構の窓側取付部が、部屋の壁面より奥まった位置に存して一層見えづらくなると共に邪魔ともならない一層実用性に秀れた構成の物干し装置となる。
【発明を実施するための最良の形態】
【００２０】
好適と考える本発明の実施形態（発明をどのように実施するか）を、図面に基づいて本発明の作用を示して簡単に説明する。
【００２１】
・請求項１記載の発明
窓２の窓取付用開口部40の左右の側部内面40Ａに夫々窓側取付部７を介して取付機構３を取り付けすることで、本物干し装置を窓取付用開口部40に設置する。
【００２２】
従って、この取付機構３は、窓取付用開口部40の外側の壁面６Ａでなくこの窓取付用開口部40の左右の側部内面40Ａに各窓側取付部７を介して取り付けるため、前記特許文献１とは異なり、窓取付用開口部40の外側の壁面６Ｂを傷付けずに取り付けできる。
【００２３】
また、窓側取付部７を窓取付用開口部40の側部内面40Ａに取り付けするため、窓取付用開口部40の外側の壁面６Ｂに取付構造部分（窓側取付部７）が露出しない構造の窓側取付部７を設計することも可能で、この窓取付用開口部40の外側の壁面６Ｂの体裁が良好に保たれる構成とすることも容易に可能である。
【００２４】
各取付機構３は、物干しを行わない時は、物干しバー１を、窓２の窓取付用開口部40より上方の壁面６Ａに沿設した沿設状態（収納状態）にできる。
【００２５】
また、この際、カーテン９が備えられた窓２に対して本物干し装置を設置する場合であっても、本発明の回動腕部８は、物干しバー１と平行な横設腕部８Ａと、この横設腕部８Ａの外側端部に連結しカーテンレール５に垂設するカーテン９の外側に立設状態に配設される立直板部８Ｂとから成る構成、即ちカーテンレール５を迂回するような形状の回動腕部８であるため、カーテンレール５やカーテン９に立直腕部８Ｂが干渉せず、且つ連結した物干しバー１がカーテンレール５に干渉しない構造の回動腕部８を簡易に設計実現可能である。
【００２６】
また、カーテン９は、閉めた状態でも開けた状態でも窓取付用開口部40の側部内面40Ａの前方に存するので、このカーテン９によって取付機構３の取付構造部分（窓側取付部７）が隠れて見えづらくなり、一層体裁が良好となる。
【００２７】
また、物干しを行う時は、各取付機構３を介して窓２の窓取付用開口部40の上方の壁面６Ａに沿設している物干しバー１を、この沿設状態の位置より下方にして前記窓２から離れた突出状態に切り換える。
【００２８】
具体的には、各取付機構３の各回動腕部８を下方に向かって回動させて物干しバー１を窓２から離れた位置に突出させる。
【００２９】
この際、カーテン９が備えられた窓２に本物干し装置を設置した場合であっても、回動腕部８が前記したようにカーテンレール５を迂回する形状であるため、カーテンレール５やカーテン９に立直腕部８Ｂと物干しバー１が干渉することなく、各回動腕部８を下方に向かって回動して物干しバー１を窓２から離れた位置に突出させることが可能な構成を簡易に設計実現可能である。
【００３０】
従って、カーテン９が備えられた窓２に対しても本物干し装置は問題なく設置して使用可能な構成にできるし、カーテン９によって取付機構３の窓取付用開口部40の側部内面40Ａへの取付構造部分である窓側取付部７が覆い隠されることになるので体裁良好となるなど、カーテン９が備えられた窓２への設置に適した極めて実用性に秀れた物干し装置となる。
【００３１】
・請求項５記載の発明
窓２を設ける窓枠４の対向する左右の縦枠部４Ａに夫々窓側取付部７を介して各取付機構３を取り付けすることで、本物干し装置を窓枠４に設置する。
【００３２】
従って、この取付機構３は、窓枠４の外側の壁面６Ｂでなくこの窓枠４の左右の縦枠部４Ａに各窓側取付部７を介して取り付けるため、前記特許文献１とは異なり、窓枠４の外側の壁面６Ｂを傷付けずに取り付けできるし、窓枠４の外側の壁面６Ｂに常に取付構造部分（窓側取付部７）が露出した状態とはならないため、この窓枠４の外側の壁面６Ｂの体裁が良好に保たれる。
【００３３】
また、例えば、前記取付機構３の前記窓側取付部７は、前記窓枠４の左右の縦枠部４Ａの見込み面14に取り付けし得るように構成すれば、各取付機構３の窓側取付部７は、部屋の壁面より奥まった位置に存するので一層見えづらくなると共に邪魔ともならず、実用的となる。
【００３４】
各取付機構３は、物干しを行わない時は、物干しバー１を、窓２の窓枠４より上方の壁面６Ａに沿設した沿設状態（収納状態）にできる。
【００３５】
また、この際、カーテン９が備えられた窓２に対して本物干し装置を設置した場合には、窓枠４の上方に横設するカーテンレール５やカーテン９に立直腕部８Ｂが干渉しないように、伸縮調整機構10により立直腕部８Ｂの位置を窓枠４に対して左右方向に接離調整して立直腕部８Ｂをカーテン９の外側に立設状態に配設することができると共に、物干しバー１がカーテンレール５に干渉しないように、高さ調整機構11により物干しバー１の高さ位置を調整することができる。
【００３６】
従って、カーテン９が備え付けられた窓２であっても、物干しバー１を、窓２の窓枠４の上方に横設するカーテンレール５より上方の壁面６Ａに沿設させて収納状態にできる。また、伸縮調整機構10と高さ調整機構11とを調整することにより、様々な大きさの窓２やカーテンレール５に対しても対応して設置可能であるので汎用性が高い。
【００３７】
また、カーテン９は、閉めた状態でも開けた状態でも窓枠４の縦枠部４Ａの前方に存するので、このカーテン９によって取付機構３の取付構造部分（窓側取付部７）が隠れて見えづらくなり、一層体裁が良好となる。
【００３８】
また、物干しを行う時は、各取付機構３を介して窓２の窓枠４の上方の壁面６Ａに沿設している物干しバー１を、この沿設状態の位置より下方にして前記窓２から離れた突出状態に切り換える。
【００３９】
具体的には、各取付機構３の各回動腕部８を下方に向かって回動させて物干しバー１を窓２から離れた位置に突出させる。
【００４０】
また、カーテン９が備えられた窓２に本物干し装置を設置した場合には、前記したように伸縮機構10と高さ調整機構11とにより、カーテンレール５やカーテン９に立直腕部８Ｂと物干しバー１とを干渉しないように調整することができるので、カーテンレール５やカーテン９に干渉することなく、各回動腕部８を下方に向かって回動させて物干しバー１を窓２から離れた位置に突出させることができる。
【００４１】
従って、カーテン９が備えられた窓２に対しても本物干し装置は問題なく設置して使用できるし、カーテン９によって取付機構３の窓枠４の縦枠部４Ａへの取付構造部分である窓側取付部７が覆い隠されることになるので体裁良好となるなど、カーテン９が備えられた窓２への設置に適した極めて実用性に秀れた物干し装置となる。
【実施例１】
【００４２】
本発明の具体的な実施例１について図１〜図８に基づいて説明する。
【００４３】
本実施例は、図１，図２に示すように、横設する物干しバー１の両端部に、この物干しバー１を、窓２の上部に近接した沿設状態と、この沿設状態の位置より下方にして前記窓２から離れた突出状態とに切り換え自在となる取付機構３を設けた窓部取付形の物干し装置に係るものである。
【００４４】
また、図示した窓２の構造は、窓枠が存在せず（木枠などが表出せず）、窓取付用開口部40の側部内面40Ａ並びに上部内面に直接壁紙が貼設された窓２構造を示している。尚、請求項１中の「窓取付用開口部」なる記載は、本実施例で示したような窓枠のない窓取付用開口部40だけに限らず、後述する実施例２で図示したような窓枠４を具備した窓取付用開口部をも含む意味合いで用いている。
【００４５】
本実施例の物干しバー１は、伸縮調整機構10を設けている。
【００４６】
具体的には、物干しバー１は、扁平パイプ状のバー本体１Ａ内に、このバー本体１Ａよりやや径小な扁平パイプ状のスライドバー１Ｂをスライド自在に嵌挿してスライド伸縮調整自在な構成とし、更に、図３に示すように締付ネジ10Ａを具備したロック用筒体10Ｄを前記バー本体１Ａの端部に被嵌固定すると共に、このロック用筒体10Ｄの締付ネジ10Ａを貫通する貫通穴10Ｅをバー本体１Ａの端部に形成し、この貫通穴10Ｅに貫通した締付ネジ10Ａを締め付け螺動すると貫通穴10Ｅからバー本体１Ａ内に突出する締付ネジ10Ａ先端が前記スライドバー１Ｂの外周面に圧接してバー本体１Ａとスライドバー１Ｂとが伸縮スライド不能な状態となり、この締付ネジ10Ａを緩めることで図中矢印Ｙ１方向に伸縮スライド可能な状態となる前記伸縮調整機構10を構成している。
【００４７】
また、本実施例の取付機構３は、左右一対をなすもので、この一対の取付機構３を夫々前記窓２を設ける窓取付用開口部40の対向する側部内面40Ａに取り付けし得るように構成している。
【００４８】
具体的には、窓取付用開口部40の対向する側部内面40Ａに取り付ける各窓側取付部７に夫々、回動腕部８を上下方向に起伏回動自在に枢着して前記取付機構３を構成し、この各取付機構３の回動腕部８間に前記物干しバー１を架設状態に連結している。
【００４９】
即ち、各取付機構３は、前記伸縮調整機構10による物干しバー１の伸縮調整により窓取付用開口部40の開口幅に応じてこの各取付機構３（の各窓側取付部７）間の間隔を広狭調整可能であり、各窓側取付部７を様々な開口幅の窓取付用開口部40の側部内面40Ａに対して取り付けし得るように構成している。
【００５０】
更に詳しくは、窓側取付部７は、図４〜図７に示すように、窓取付用開口部40の側部内面40Ａに面接固定する固定板部71と、窓取付用開口部40の外側の壁面６Ｂに沿設状態に配されて前記回動腕部８の基部側を枢着する横長ケース状の枢着部72とから成り、固定板部71と枢着部72とを略直角に連結固定して平面視略Ｌ字形に構成している。
【００５１】
また、横長ケース状の枢着部72は、図４に示すように長さ方向の両端部に軸支筒部72Ａを設けて、この両端の軸支筒部72Ａの夫々に回動腕部８の基部側（後述する横設腕部８Ａ）を枢着して、この回動腕部８の基部側を横長ケース状の枢着部72の長さ方向と略平行に軸支した構成としている。
【００５２】
また、この窓側取付部７の、窓取付用開口部40の側部内面40Ａへの取付構造は、固定板部71を、側部内面40Ａに面接当接させた上でネジ12などの止着具12により止着する構造としている。従って、このような簡易な取付構造を採用したことにより、本物干し装置を窓２の窓取付用開口部40に取付することが容易に行われると共に、既製の建築物に後付けすることも容易に行われる構成としている。尚、この際、枢着部72は、窓取付用開口部40の外側の壁面６Ｂに沿設されるが、この外側壁面６Ｂに対しては固定せず、従ってこの窓取付用開口部40の外側の壁面６Ｂを傷付けずに窓側取付部７を取り付けできる構成としている。
【００５３】
また、窓側取付部７を側部内面40Ａに取り付けすると、窓取付用開口部40の外側の壁面６Ｂにはケース状の枢着部72が露出することになるため、窓２周りの体裁を大きく害することのない構成である。尚、固定板部71もケースなどで覆って横設腕部８Ａの枢着部分や後述する付勢手段19，回動規制手段20，位置決め手段23が露出しない構成とすると、一層取付機構３取付時の体裁が良好となるので好ましい。
【００５４】
また、回動腕部８は、前記物干しバー１が窓取付用開口部40の上方の壁面６Ａに沿設状態のときこれと平行にして前記窓側取付部７の枢着部72に枢着連結する横設腕部８Ａと、この横設腕部８Ａの外側端部に連結し前記カーテンレール５に垂設するカーテン９の外側に立設状態に配設される立直腕部８Ｂとから成り、この立直腕部８Ｂの先端部に前記物干しバー１の端部を連結した構成としている。
【００５５】
更に詳しくは、横設腕部８Ａの一端に直角に立直腕部８Ｂを連結して横設腕部８Ａと立直腕部８Ｂとが略Ｌ字形をなす構成とし、この横設腕部８Ａを前記枢着部72の両端の軸支筒部72Ａに挿通して枢着連結して、この横設腕部８Ａを軸にして回動腕部８（の立直腕部８Ｂ）を窓側取付部７に対し図７中の矢印Ｙ２のように起伏回動自在に設けている。
【００５６】
また、本実施例では、前記枢着部72に枢着した横設腕部８Ａに対して付勢力を付与する付勢手段19を前記窓側取付部７に設けると共に、この付勢手段19は、前記回動腕部８を上方へ回動しようとする方向に回動付勢する構成としている。
【００５７】
具体的には、前記枢着部72の内側の軸支筒部72Ａより突出する横設腕部８Ａの他端（回動腕部８の基端）に、この横設腕部８Ａの長さ方向と直交する方向に向けて支持板部８Ｄを突設して、この支持腕部８Ｄが回動腕部８（横設腕部８Ａ）の回動に連動して前記固定板部71の板面と略平行に回動移動する構成とし、この横設腕部８Ａの他端を枢着する軸支筒部72Ａに付勢手段19としてのトーションバネ19を被嵌装着してこのトーションバネ19の一端部を支持板部８Ｄに固定する一方、このトーションバネ19の他端部をケース状の前記枢着部72の内側面に当接させて、このトーションバネ19により横設腕部８Ａに前記回動付勢力が付与される構成としている。
【００５８】
従って、回動腕部８を下方へ回動作動させる際には付勢手段19による回動抵抗があり、この回動抵抗によって物干しバー１が勢い良く飛び出すようなことが防止され、また、物干しバー１を窓取付用開口部40の上部の壁面６Ａに近接した沿設状態とするために回動腕部８を上方へ回動作動させる際には付勢手段19の付勢力が助力として作用してこの操作が容易に行われると共に、沿設状態が付勢保持される構成としている。
【００５９】
また、本実施例では、この回動腕部８の回動範囲を、図７に示すように物干しバー１が窓取付用開口部40の上部の壁面６Ａに沿設した状態（収納状態）から、この収納状態の位置より下方にして窓２より離れた位置に物干しバー１が水平に引き出されて、横設腕杆８Ａと立直腕部８Ｂとが略水平となる位置まで回動するように構成している。
【００６０】
具体的には、前記窓側取付部７に、前記横設腕部８Ａの回動範囲を規制する回動規制手段20を設けると共に、この回動規制手段20は、前記物干しバー１が前記沿設状態から前記突出状態までの回動範囲で回動自在となるように回動腕部８を回動規制する構成としている。
【００６１】
この回動規制手段20は、前記固定板部71の、前記側部内面40Ａに当接しない側の板面に、円弧状のストッパ部材20Ａを、その両端部が上下方向となるようにして且つ支持板部８Ｄの先端の回動軌跡に沿うようにして付設し、このストッパ部材20Ａの上下両端部に前記支持板部８Ｄが当接するストッパ突起20Ｂを突設して、この上下のストッパ突起20Ｂ間の範囲でのみ支持板部８Ｄが移動可能となる構成とすると共に、支持板部８Ｄが上部のストッパ突起20Ｂに当接した際に前記物干しバー１が前記突出状態で位置決めされ、支持板部８Ｄが下部のストッパ突起20Ｂに当接した際に前記物干しバー１が前記沿設状態で位置決めされるように設定構成している。
【００６２】
従って、これにより物干しバー１が洗濯物を干し易い位置まで降りてくる上、物干しバー１が窓２から離れた位置に水平横設されるので、洗濯物を安定的に干すことができると共に、大型の洗濯物も窓２や窓下方の壁面に干渉しにくい状態で干すことが可能となり、非常に使い易い。
【００６３】
また、本実施例では、物干しバー１を前記沿設状態と前記突出状態とで位置決めする位置決め手段23を取付機構３に設けている。
【００６４】
具体的には、前記ストッパ部材20Ａに、上下の前記ストッパ突起20Ｂに隣接状態にして弾性を有し略球面状を呈する係合突起23Ａを突設する一方、この係合突起23Ａが係合する係合孔23Ｂを前記支持板部８Ｄの先端部に貫通形成して、支持板部８Ｄが上部のストッパ突起20Ｂに当接した際と、支持板部８Ｄが下部のストッパ突起20Ｂに当接した際に係合突起23Ａが係合孔23Ｂに係合して前記物干しバー１が前記突出状態と前記沿設状態とで位置決めされる構成としている。また、係合突起23Ａが弾性を有するため、位置決め状態の回動腕部８を回動操作することで係合孔23Ｂから簡単に係脱して物干しバー１の位置を変更可能な構成である。
【００６５】
また、本実施例の立直腕部８Ｂの先端部と前記物干しバー１の端部との連結構造は、図８に示すように各立直腕部８Ｂをパイプ状とすると共に、各立直腕部８Ｂの先端部を内向きに略直角に折曲形成し、各立直腕部８Ｂの折曲先端部８Ｂ'と、物干しバー１の両端部との間に連結部材21を挿入した上でこの連結部材21に各立直腕部８Ｂの先端部と物干しバー１の端部とを取付ネジ22にて連結する構造としている。尚、図面では、物干しバー１のスライドバー１Ｂ側の端部の連結構造だけを示しているが、バー本体１Ａ側の端部の連結構造についても同様である。
【００６６】
尚、本実施例では、伸縮調整機構10を物干しバー１に設けた場合を示したが、物干しバー１と前記立直腕部８Ｂ（折曲先端部８Ｂ'）との連結部に伸縮調整機構10を設けても良い。また、この伸縮調整機構10の詳細構造も適宜設計変更可能である。
【００６７】
図中符号17は立直腕部８Ｂに設けた物干しバー１を押し引き回動操作するための操作体、24は物干しバー１に付設した緩衝材である。
【００６８】
尚、本実施例では、窓枠のない窓取付用開口部40に窓側取付部７を取り付けした場合を示したが、この窓側取付部７は、窓枠を具備した窓取付用開口部40のこの窓枠に対しても取り付け可能である。
【実施例２】
【００６９】
本発明の具体的な実施例２について図９〜図１６に基づいて説明する。
【００７０】
本実施例は、図９，図１０に示すように、横設する物干しバー１の両端部に、この物干しバー１を、窓２の上部に近接した沿設状態と、この沿設状態の位置より下方にして前記窓２から離れた突出状態とに切り換え自在となる取付機構３を設けた窓枠取付形の物干し装置に係るものである。
【００７１】
本実施例の物干しバー１は、伸縮調整機構10を設けている。
【００７２】
具体的には、物干しバー１は、パイプ状のバー本体１Ａ内に、このバー本体１Ａよりやや径小なパイプ状のスライドバー１Ｂをスライド自在に嵌挿して伸縮調整自在な構成とし、更に、図１１に示すように前記バー本体１Ａの端部にネジ穴10Ｂを貫通形成すると共に、このネジ穴に締付ネジ10Ａを螺着し、この締付ネジ10Ａを締め付け螺動するとネジ穴10Ｂからバー本体１Ａ内に突出する締付ネジ10Ａ先端がスライドバー１Ｂの外周面に圧接して伸縮不能状態となり、この締付ネジ10Ａを緩めることで伸縮可能状態となる前記伸縮調整機構10を構成している。
【００７３】
また、本実施例の取付機構３は、左右一対をなすもので、この一対の取付機構３を夫々前記窓２を設ける窓枠４の対向する縦枠部４Ａの内面たる見込み面14に取り付けし得るように構成している。
【００７４】
具体的には、縦枠部４Ａの見込み面14に取り付ける窓側取付部７に、回動腕部８を上下方向に起伏回動自在に枢着して前記取付機構３を構成している。
【００７５】
更に詳しくは、窓側取付部７は、図１２に示すように、略長方形状の取付ケース70で構成すると共に、この取付ケース70は、左右二分割して左右のケース半体70Ａを着脱可能な構成としている。
【００７６】
また、この一方のケース半体70Ａの略中心位置に、前記回動腕部８の基端部を軸着して、この取付ケース70の側部（前側部）から回動腕部８が突出して起伏回動する構成としている。
【００７７】
また、この窓側取付部７の、窓枠４の縦枠部４Ａの見込み面14への取付構造は、回動腕部８の基端部を軸着した一方のケース半体70Ａを、縦枠部４Ａの見込み面14に面接当接させた上でネジ12などの止着具12により止着する構造としている。従って、このような簡易な取付構造を採用したことにより、本物干し装置を窓２の窓枠４に取付することが容易に行われると共に、後付けすることも容易に行われる構成としている。
【００７８】
また、回動腕部８は、前記物干しバー１が窓枠４の上方の壁面６Ａに沿設状態のときこれと平行にして前記窓側取付部７の枢着部に連結する横設腕部８Ａと、この横設腕部８Ａの外側端部に連結し前記カーテンレール５に垂設するカーテン９の外側に立設状態に配設される立直腕部８Ｂとから成り、この立直腕部８Ｂに前記物干しバー１の端部を連結した構成としている。
【００７９】
更に詳しくは、横設腕部８Ａの一端に直角に立直腕部８Ｂを連結して横設腕部８Ａと立直腕部８Ｂとが略Ｌ字形をなす構成としている。また、横設腕部８Ａの他端に、立直腕部８Ｂの突出方向と反対方向に向けて斜設状態に取付杆部８Ｃを付設して回動腕部８を構成し、この取付杆部８Ｃの突出端部を前記一方のケース半体70Ａに回動軸13により軸着することで、回動腕部８を窓側取付部７に図１４，図１５中の矢印Ｙ２のように起伏回動自在に設けている。即ち、取付杆部８Ｃを介して横設腕部８Ａを窓側取付部７の枢着部に連結する構成としている。
【００８０】
また、この取付杆部８Ｃの突出軸着端部には、図１５に示すように前記回動軸13が中心を貫通して取付杆部８Ｃと共に回転する円盤状の回転体15を設け、この回転体15の外周面に当接するようにして前記一方のケース半体70Ａに摩擦体16を固定し、この摩擦体16が回転体15に摩擦抵抗を付与することで、回動腕部８の回動作動には抵抗があり、この摩擦抵抗によって物干しバー１が勢い良く飛び出すようなことが防止され、また、物干しバー１を窓枠４の上部の壁面６Ａに近接した沿設状態（図９，図１２の状態）とした際には、この沿設状態で位置決めされる構成としている。
【００８１】
また、本実施例では、この回動腕部８の回動範囲を、図１２〜図１４に示すように物干しバー１が窓枠４の上部の壁面６Ａに沿設した状態（収納状態）から、この収納状態の位置より下方にして窓２より離れた位置に物干しバー１が水平に引き出されて、横設腕杆８Ａと立直腕部８Ｂとが略水平となる位置まで回動するように構成している。
【００８２】
具体的には、一方の前記ケース半体70Ａに回動腕部８（取付杆部８Ｃ）の回動を阻止するストッパ片18を突設して、回動腕部８を下方へ回動させて横設腕部８Ａと立直腕部８Ｂとが略水平となった際に取付杆部８Ｃがストッパ片18に当接し、これにより回動腕部８がこれ以上下方へ回動することが阻止される構成としている。
【００８３】
従って、これにより物干しバー１が洗濯物を干し易い位置まで降りてくる上、物干しバー１が窓２から離れた位置に水平横設されるので、洗濯物を安定的に干すことができると共に、大型の洗濯物も窓２や窓下方の壁面に干渉しにくい状態で干すことが可能となり、非常に使い易い。
【００８４】
また、本実施例では、横設腕部８Ａと前記立直腕部８Ｂとを連結する連結部に伸縮調整機構10を設けている。
【００８５】
具体的には、図１６に示すように、各横設腕部８Ａを角形のパイプ体で構成する一方、各立直腕部８Ｂの連結側端部に横設腕部８Ａのパイプ径より径小な角形のスライド杆10Ｃを直角に突設し、このスライド杆10Ｃを横設腕部８Ａの連結側端部にスライド自在に嵌挿して横設腕部８Ａに対し立直腕部８Ｂが出入り調整自在な構成とし、更に横設腕部８Ａの連結側端部にネジ穴10Ｂを貫通形成すると共に、このネジ穴10Ｂに締付ネジ10Ａを螺着し、この締付ネジ10Ａを締め付け螺動するとネジ穴10Ｂから横設腕部８Ａ内に突出する締付ネジ10Ａ先端がスライド杆10Ｃの外周面に圧接して伸縮不能状態となり、この締付ネジ10Ａを緩めることで伸縮可能状態となる前記伸縮調整機構10を構成している。
【００８６】
従って、この各横設腕部８Ａと各立直腕部８Ｂとを連結する各連結部に設けた伸縮調整機構10と、前記物干しバー１に設けた伸縮調整機構10とにより、前記立直腕部８Ｂの位置が図１１および図１６中の矢印Ｙ１のように前記窓枠４から左右方向に接離調整自在となるように構成し、これにより、設置したい窓２の大きさ（横幅）に応じて左右一対の取付機構３の間隔を調整することもできるし、例えば、カーテン９が備え付けられた窓２に設置する場合には、窓枠４の上方に横設するカーテンレール５やカーテン９に立直腕部８Ｂが干渉しないように、伸縮調整機構10により立直腕部８Ｂの位置を窓枠４に対して左右方向に接離調整（幅調整）して、確実に立直腕部８Ｂをカーテン９の外側に立設状態に配設させることができる構成としている。
【００８７】
尚、本実施例では、伸縮調整機構10を物干しバー１と、横設腕部８Ａと立直腕部８Ｂとを連結する連結部とに設けた場合を示したが、伸縮調整機構10を物干しバー１と立直腕部８Ｂとを連結する連結部に設けても良いし、横設腕部８Ａに設けても良く、また、この伸縮調整機構10の詳細構造も適宜設計変更可能である。
【００８８】
また、本実施例の立直腕部８Ｂの先端部と前記物干しバー１の端部との連結構造は、物干しバー１の両端部に立直腕部８Ｂに被嵌するコ字状の被嵌取付部11Ａを突設し、この被嵌取付部11Ａの遊離端部には締付ネジ11Ｂを螺着し、この締付ネジ11Ｂを締付して締付ネジ11Ｂ先端を立直腕部８Ｂに圧接することにより、立直腕部８Ｂの先端部に物干しバー１の端部を連結する構造としている。
【００８９】
また、この立直腕部８Ｂの先端部と前記物干しバー１の端部との連結構造は、締付ネジ11Ｂを緩めることで被嵌取付部11Ａの立直腕部８Ｂに対する連結位置を図１６中の矢印Ｙ３のように立直腕部８Ｂの長さ方向に変更可能である。即ち、この立直腕部８Ｂと物干しバー１との連結部に、この物干しバー１を窓枠４の上方の壁面６Ａに沿設した際に物干しバー１の高さ位置を調整する高さ調整機構11を設けた構成とし、これにより、例えば、カーテン９が備え付けられた窓２に設置する場合には、窓枠４の上方に横設するカーテンレール５に物干しバー１が干渉しないように物干しバー１の位置を窓枠４に対して上下方向に接離調整（高さ調整）することができる構成としている。
【００９０】
尚、本実施例では、高さ調整機構11を、立直腕部８Ｂと物干しバー１との連結部に設けた場合を示したが、立直腕部８Ｂに設けても良いし、立直腕部８Ｂと横設腕部８Ａとの連結部に設けても良く、また、この高さ調整機構11の詳細構造も適宜設計変更可能である。
【００９１】
図中符号17は、物干しバー１に掛止して物干しバー１を押し引き操作するための操作体である。
【００９２】
尚、本発明は、実施例１，２に限られるものではなく、各構成要件の具体的構成は適宜設計し得るものである。
【図面の簡単な説明】
【００９３】
【図１】実施例１の窓取付用開口部への取付状態における物干しバーの収納状態（沿設状態）を示す説明斜視図である。
【図２】実施例１の窓取付用開口部への取付状態における物干しバーの使用状態（突出状態）を示す説明斜視図である。
【図３】実施例１の物干しバーの伸縮構造を示す部分拡大説明図である。
【図４】実施例１の取付機構を示す一部を切欠した拡大説明正面図である。
【図５】実施例１の物干しバー収納状態における取付機構の窓取付用開口部への取付状態並びに回動規制手段の作動を示す部分拡大説明斜視図である。
【図６】実施例１の物干しバー使用状態における取付機構の窓取付用開口部への取付状態並びに回動規制手段の作動を示す部分拡大説明斜視図である。
【図７】実施例１の回動規制手段の作動並びに回動腕部の回動範囲を示す説明側面図である。
【図８】実施例１の物干しバーと立直腕部との連結構造を示す部分拡大説明図である。
【図９】実施例２の窓枠への取付状態における物干しバー収納状態（沿設状態）を示す説明斜視図である。
【図１０】実施例２の窓枠への取付状態における物干しバー使用状態（突出状態）を示す説明斜視図である。
【図１１】実施例２の物干しバーの伸縮構造を示す部分拡大説明図である。
【図１２】実施例２の物干しバー収納状態における取付機構並びに窓側取付部の詳細を示す部分拡大説明斜視図である。
【図１３】実施例２の物干しバー使用状態における取付機構並びに窓側取付部の詳細を示す部分拡大説明斜視図である。
【図１４】実施例２の回動腕部の回動範囲を示す説明側面図である。
【図１５】実施例２の窓側取付部と回動腕部との枢着構造並びに回動抵抗付与構造を示す部分拡大説明図である。
【図１６】実施例２の物干しバーの高さ調整構造並びに立直腕部の左右幅調整構造を示す部分拡大正面図である。
【符号の説明】
【００９４】
１  物干しバー
２  窓
３  取付機構
４  窓枠
４Ａ  縦枠部
５  カーテンレール
６Ａ  壁面
６Ｂ  壁面
７  窓側取付部
８  回動腕部
８Ａ  横設腕部
８Ｂ  立直腕部
９  カーテン
10  伸縮調整機構
11  高さ調整機構
14  見込み面
19  付勢手段
20  回動規制手段
40  窓取付用開口部
40Ａ  側部内面
72  枢着部
【図１】
2008212648.tif 000003
【図２】
2008212648.tif 000004
【図３】
2008212648.tif 000005
【図４】
2008212648.tif 000006
【図５】
2008212648.tif 000007
【図６】
2008212648.tif 000008
【図７】
2008212648.tif 000009
【図８】
2008212648.tif 000010
【図９】
2008212648.tif 000011
【図１０】
2008212648.tif 000012
【図１１】
2008212648.tif 000013
【図１２】
2008212648.tif 000014
【図１３】
2008212648.tif 000015
【図１４】
2008212648.tif 000016
【図１５】
2008212648.tif 000017
【図１６】
2008212648.tif 000018